(57)【要約】【課題】パネル取付する電気機器の取り付け作業を簡単にする。【解決手段】電気機器１にその後端面から前面側に向かうＬ字状断面の案内溝９を設けるとともに、電気機器１の側面に鋸歯状の係止爪１０を形成する一方、取付金具５に係止爪１０と噛み合う係止爪１２を形成するとともに、案内溝９と緩く嵌合するＬ字状の保持脚５ｄを設ける。この保持脚５ｄを案内溝９に後方からスライドさせて挿入し、電気機器１の係止爪１０と取付金具５の係止爪１２とを噛み合わせ、取付金具５にねじ込んだ取付ねじ６をパネル２の背面に突き当てて電気機器１を固定する。取付金具５の保持脚５ｄを電気機器１の案内溝９に挿入することにより、取付金具５を電気機器１に仮止めし、取付ねじ締め付け前の取付金具５の脱落を防げるので、電気機器の取り付け作業が簡単になる。【選択図】図２
2006087220.tif 000002
【特許請求の範囲】
【請求項１】
パネルに挿入された電気機器の側面と係合する取付金具と、この取付金具にねじ込まれる取付ねじとを備え、この取付ねじを前記パネルの背面に突き当てることにより、前記電気機器を前記パネルに固定する電気機器のパネル取付装置において、
前記電気機器の側面に、この電気機器の後端面から前面側に向かうＬ字状断面の案内溝を設けるとともに、この電気機器の前記側面に係止爪を形成する一方、前記取付金具に前記係止爪と噛み合う係止爪を形成するとともに、前記案内溝と緩く嵌合するＬ字状の保持脚を設け、この保持脚を前記案内溝にスライドさせて挿入し、前記電気機器の係止爪と前記取付金具の係止爪とを噛み合わせ、この取付金具にねじ込んだ前記取付ねじを前記パネルの背面に突き当てて前記電気機器を固定するようにしたことを特徴とする電気機器のパネル取付装置。
【請求項２】
前記電気機器及び取付金具の係止爪を前記案内溝と直交する複数の鋸歯状の突条により形成したことを特徴とする請求項１記載の電気機器のパネル取付装置。
【請求項３】
前記取付金具を持ち上げることにより前記係止爪同士の噛み合いを外し、前記保持脚を前記案内溝から抜き出して前記取付金具を取り外すようにしたことを特徴とする請求項２記載の電気機器のパネル取付装置。
【発明の詳細な説明】
【技術分野】
【０００１】
この発明は、表示灯や計器などの電気機器を配電盤等のパネルに取り付けるための電気機器のパネル取付装置に関する。
【背景技術】
【０００２】
上記装置として、パネルにその取付穴を通して挿入された電気機器の側面と係合する取付金具と、この取付金具にねじ込まれる取付ねじとを備え、この取付ねじをパネルの背面に突き当てることにより電気機器をパネルに固定するものがある。図７〜図１０は、このような電気機器のパネル取付装置の従来技術を示すもので、図７は電気機器の取付状態のパネル背面側から見た斜視図、図８は図７における取付金具の装着前の状態を示す斜視図、図９は図７の縦断面図、図１０は図９の要部拡大図である。図７〜図１０において、図示の場合、電気機器１は角形表示灯で、この電気機器１は配電盤等のパネル２に長方形の取付穴３を通して前方から挿入され、パネル取付装置４により固定されている。
【０００３】
ここで、パネル取付装置４は、電気機器１の側面と係合する取付金具５と、この取付金具５にねじ込まれる取付ねじ６とを備えている。鋼板から打ち抜き、折り曲げ形成され取付金具５は、前後端がＬ形に立ち上げられたＵ字状で、左右両側に鉤形のフック７が外向きに折り曲げ形成されている。取付金具５の後端（パネル２から遠い側の端部）の立上げ部５ａにはねじ穴が設けられ、前端（パネル２に近い側の端部）の立上げ部５ｂには抜き穴が設けられている。取付ねじ６は取付金具５のねじ穴に後方からねじ込まれ、抜き穴を緩く挿通している。一方、取付金具５が配置される電気機器１の側面、図示の場合は上下側面には、取付金具５の左右一対のフック７に対応して左右一対のスリット８（図８）が設けられている。
【０００４】
電気機器１をパネル２に取り付けるには、電気機器１を取付穴３を通してパネル２にその前方から挿入した後、フック７をスリット８に嵌め込んで取付金具５をセットし、取付ねじ６を締め込んでその先端をパネル２の背面に突き当てる。これにより、パネル２が電気機器１のつば部１ａ（図９）と取付ねじ６との間に挟みつけられ、電気機器１が固定される。この種の電気機器のパネル取付装置については、例えば特許文献１にも記載されている。
【特許文献１】実開平５―８７５２４号公報
【発明の開示】
【発明が解決しようとする課題】
【０００５】
上記した従来技術において、取付金具５は取付ねじ６の締め付け前はフック７がスリット８に緩く挿入されているだけであるため脱落しやすい。そのため、電気機器１と一緒に取付金具５を手で押さえている必要があり作業性が悪く、場合によっては２人がかりで作業をする必要があった。また、点検等のために電気機器１を取り外す際には取付ねじ６を一々緩める必要があり、作業に手間がかかった。
【０００６】
そこで、この発明の課題は、パネル取付する電気機器の取り付け及び取り外し作業を簡易にすることにある。
【課題を解決するための手段】
【０００７】
上記課題を解決するために、この発明は、パネルに挿入された電気機器の側面と係合する取付金具と、この取付金具にねじ込まれる取付ねじとを備え、この取付ねじを前記パネルの背面に突き当てることにより、前記電気機器を前記パネルに固定する電気機器のパネル取付装置において、前記電気機器の側面に、この電気機器の後端面から前面側に向かうＬ字状断面の案内溝を設けるとともに、この電気機器の前記側面に係止爪を形成する一方、前記取付金具に前記係止爪と噛み合う係止爪を形成するとともに、前記案内溝と緩く嵌合するＬ字状の保持脚を設け、この保持脚を前記案内溝にスライドさせて挿入し、前記電気機器の係止爪と前記取付金具の係止爪とを噛み合わせ、この取付金具にねじ込んだ前記取付ねじを前記パネルの背面に突き当てて前記電気機器を固定するようにするものである（請求項１）。この請求項１の発明によれば、取付金具のＬ字状の保持脚を電気機器のＬ字状断面の案内溝に挿入することにより取付金具を電気機器に仮止めできるので、ねじ締め前の取付金具の脱落がない。
【０００８】
請求項１の発明において、前記電気機器及び取付金具の係止爪を前記案内溝と直交する複数の鋸歯状の突条により形成するのがよい（請求項２）。係止爪を複数の鋸歯状の突条で形成することにより係止爪の噛み合いを浅くすることができ、その結果として取付金具の保持脚を電気機器の案内溝に挿入する際に係止爪同士を滑らせることができ、電気機器への取付金具の装着が容易になる。
【０００９】
請求項２の発明において、前記取付金具を持ち上げることにより前記係止爪同士の噛み合いを外し、前記保持脚を前記案内溝から抜き出して前記取付金具を取り外すようにするとよい（請求項３）。これにより、取付金具を持ち上げて引き抜くだけで、取付ねじを緩めることなく取付金具を電気機器から取り外すことができるようになる。
【発明の効果】
【００１０】
この発明によれば、取付ねじの締め付け前に取付金具を電気機器に仮止めできるので、取付金具の脱落を気にすることなく取付ねじを締め付けることができ、電気機器の固定作業が簡単になる。また、取付ねじを緩めなくても取付金具を引き抜くことができるので、点検時等の電気機器の取り外しも容易になる。
【発明を実施するための最良の形態】
【００１１】
以下、図１〜図６に基づいて、この発明の実施の形態を説明する。ここで、図１は電気機器の取付状態のパネル背面側から見た斜視図、図２は図１における取付金具の装着前の状態を示す斜視図、図３は図１の縦断面図、図４は図３の要部拡大図、図５は図３における取付金具を持ち上げた状態を示す図、図６は図５の要部拡大図である。なお、従来例と対応する部分には同一の符号を用いるものとする。図示実施の形態において、パネルに取り付けられる電気機器は、図７の従来例と同じ角形表示器である。
【００１２】
図１〜図６において、電気機器１の上下側面には、従来例のスリットに代えて、後端面から前面側に向かう左右一対の案内溝９が設けられている。案内溝９はＬ字状断面を有し、垂直な溝は電気機器１の側面に開口し、水平な溝は左右相反する方向に向いている。また、電気機器１の側面の後端側には左右の案内溝９の間に、案内溝９と直交する複数の鋸歯状の突条１０ａからなる係止爪１０が形成されている。図４に示すように、係止爪１０は電気機器１の側面と同一面内に形成され、突条１０ａは電気機器１の後端側の歯面が傾斜しパネル側の歯面が垂直な前倒れ形状になっている。
【００１３】
一方、取付金具５は従来例と同様に前後端に立上げ部５ａ,５ｂが設けられたＵ字状であるが、取付金具５の後端の立上げ部５ａにはスリット１１が開けられるとともに、その上端に把手５ｃが外側に折り曲げ形成されている。そして、ねじ穴は前端の立上げ部５ｂに設けられ、取付ねじ６はスリット１１を緩く挿通して立上げ部５ｂのねじ穴に後方からねじ込まれている。
【００１４】
また、取付金具５には前端部に、電気機器１の案内溝９に対応して、左右一対の保持脚５ｄ（図２）が外向きに折り曲げ形成されている。保持脚５ｄは案内溝９の断面形状と同様のＬ字状で、案内溝９に挿入されてスライドするようになっている。更に、電気機器１の側面と相対する取付金具５の底面の後端側には、電気機器１の係止爪１０と噛み合うように、複数の突条１２ａからなる係止爪１２が形成されている。図２に示すように突条１２ａの数は係止爪１０よりも少なく、また図４に示すように係止爪１２は取付金具５の底面よりも突出するように後倒れに形成されている。
【００１５】
図示実施の形態において、電気機器１をパネル２に取り付けるには、電気機器１を取付穴３を通してパネル２にその前方から挿入した後、保持脚５ｄを案内溝９にスライドさせて挿入し、電気機器１の係止爪１０と取付金具５の係止爪１２とを噛み合わせてセットする。そして、この状態で取付ねじ６をパネル２の背面に突き当て、電気機器１を固定する。
点検等により電気機器１をパネル２から取り外す場合には、把手５ｃを持って取付金具５を持ち上げる。これにより、図５及び図６に示すように、取付金具５は保持脚５ｄを支点に浮き上がるとともに弾性により湾曲し、係止爪１０,１２同士の噛み合いが外れる。そこで、取付金具５を引き抜くことにより、電気機器１を取り外すことができる。
【００１６】
以上説明した電気機器のパネル取付装置によれば、
(1)  取付金具５の保持脚５ｄを電気機器１の案内溝９に挿入することにより取付金具５を電気機器１に仮止めできるので、取付金具５が脱落しないように手で押える必要がなく、単独作業でも容易に電気機器１を固定することができる。
(2)  係止爪１０,１２を複数の鋸歯状の突条で形成することにより、各突条の噛み合いを浅くしても必要な噛み合い強度が得られるので、取付金具５の保持脚５ｄを電気機器１の案内溝９に挿入する際に、係止爪１０,１２同士で互いに滑らせることができ、電気機器１への取付金具５のセットが容易になる。
(3)  取付金具５の一端を持ち上げることにより係止爪１０,１２同士の噛み合いを外し、取付金具を引き抜くことができるので、取付ねじ６を緩めることなく電気機器１をパネル２から取り外すことができる。
【図面の簡単な説明】
【００１７】
【図１】この発明の実施の形態を示すもので、パネルに取り付けた電気機器を背面側から見た斜視図である。
【図２】図１における取付金具の装着前の状態を示す斜視図である。
【図３】図１の縦断面図である。
【図４】図３の要部拡大図である。
【図５】図３における取付金具を持ち上げた状態を示す図である。
【図６】図５の要部拡大図である
【図７】従来例を示すもので、パネルに取り付けた電気機器を背面側から見た斜視図である。
【図８】図７における取付金具の装着前の状態を示す斜視図である。
【図９】図７の縦断面図である
【図１０】図９の要部拡大図である
【符号の説明】
【００１８】
１    電気機器
２    パネル
３    取付穴
４    パネル取付装置
５    取付金具
５ｃ  把手
５ｄ  保持脚
６    取付ねじ
９    案内溝
１０    係止爪
１０ａ  突条
１２    係止爪
１２ａ  突条
【図１】
2006087220.tif 000003
【図２】
2006087220.tif 000004
【図３】
2006087220.tif 000005
【図４】
2006087220.tif 000006
【図５】
2006087220.tif 000007
【図６】
2006087220.tif 000008
【図７】
2006087220.tif 000009
【図８】
2006087220.tif 000010
【図９】
2006087220.tif 000011
【図１０】
2006087220.tif 000012